(57)【特許請求の範囲】
【請求項１】
縦軸および横軸の一方をチャンネル番号軸とし、他方を時間軸として、複数の番組案内を表示装置にマトリックス状に表示する番組案内表示制御装置において、
表示される番組案内に対する限定条件を１つのユーザに対してのみ設定できるシングルユーザモードと、表示される番組案内に対する限定条件を複数のユーザに対してユーザ毎に個別に設定できるマルチユーザモードとの間で、ユーザモードを切り替えるユーザモード切替え手段、
ユーザモード切替え手段によって、ユーザモードがシングルユーザモードからマルチユーザモードに切り替えられたときに、操作者からの指令に基づいて、シングルユーザモード時において設定されていた限定条件を、マルチユーザモードにおける複数のユーザのうち、少なくとも１つのユーザに対する限定条件として記憶させる第１コピー手段、ならびに
ユーザモード切替え手段によって、ユーザモードがマルチユーザモードからシングルユーザモードに切り替えられたときに、操作者からの指令に基づいて、マルチユーザモード時において所定のユーザに対して設定されていた限定条件を、シングルモードにおけるユーザに対する限定条件として記憶させる第２コピー手段、
を備えていることを特徴とする番組案内表示制御装置。
【請求項２】
表示される番組案内に対する限定条件が、カテゴリーに関するものである請求項１に記載の番組案内表示制御装置。
【請求項３】
表示される番組案内に対する限定条件が、チャンネル番号に関するものである請求項１に記載の番組案内表示制御装置。
【請求項４】
請求項１、２および３のいずれかに記載の番組案内表示制御装置を備えているテレビジョン受像機。
【発明の詳細な説明】
【０００１】
【発明の属する技術分野】
この発明は、番組案内表示制御装置およびテレビジョン受像機に関する。
【０００２】
【従来の技術】
デジタル衛星放送システムにおいては、たとえば、１５０以上の多数のチャンネルが用意されており、多数の番組が提供されている。このシステムでは、現在放送されている番組および将来放送される番組の案内情報が本来の番組データとともに所定時間間隔で伝送されている。ユーザ側端末は、番組案内情報に基づいて、番組案内画面（番組案内表）を表示する機能を備えている。
【０００３】
ユーザ側端末には、図１１に示すように、受信された全番組案内情報に対応する全番組案内表Ｅの一部の番組案内表ｅが番組案内画面として表示される。番組案内画面には、縦軸をチャンネル番号軸とし、横軸を時間軸として、複数の番組案内がマトリックス状に表示される。この例では、番組案内画面には、５つのチャンネルに対する番組であって、２時間半分の番組が表示される。左端には、チャンネル番号が縦に並んで表示されている。そして、各チャンネルに対応した行に、そのチャンネルによって放送される各番組の時間帯を示す枠が表示されており、各枠内にタイトル名（Ａ〜Ｐ）が表示されている。
【０００４】
番組案内画面上には、番組を指定したり、番組案内画面をスクロールさせたりするためのカーソルが表示される。このカーソルの移動は、左、右、上、下の各方向ごとに設けられた４つのカーソル移動キーを操作することによって行なわれる。上または下方向移動のためのカーソル移動キーを操作するごとに、カーソルは、１チャンネル単位で移動する。また、左または右方向移動のためのカーソル移動キーを操作するごとに、カーソルは、所定時間単位で移動する。
【０００５】
【発明が解決しようとする課題】
ところで、番組案内画面に表示される番組案内を、ユーザの好みに応じて限定することができれば便利である。そこで、番組案内画面に表示される番組案内のカテゴリーを限定したり、番組案内画面に表示される番組案内のチャンネルを限定したりする機能をユーザ側端末に持たせることが考えられる。
【０００６】
さらに、このような番組案内に対する限定条件の設定を複数のユーザごとに行なっておき、状況に応じていずれかのユーザに対して設定された限定条件を有効とさせる機能をユーザ側端末に持たせることが考えられる。
【０００７】
しかしながら、ユーザ側端末を利用するユーザによっては、このような限定条件設定を一人のユーザに対してのみ行なえば十分である場合もある。そこで、限定条件設定を一人のユーザに対してのみ行なえるシングルユーザモードと、限定条件設定を複数のユーザに対して行なえるマルチユーザモードとを、選択的に切り替えるようにすることが考えられる。
【０００８】
このように、限定条件設定に対するユーザモードとして、シングルユーザモードとマルチユーザモードとが設定可能である場合において、ユーザモードが切り替えられた場合に、それまで設定されていたユーザモードにおいて既に設定されている限定条件を、変更後のユーザモードにおいても利用できれば便利である。
【０００９】
たとえば、シングルモードからマルチユーザモードにユーザモードが切り替えられた場合には、シングルモードにおいて設定されていた限定条件を、マルチユーザモードにおいて１つのユーザに対する限定条件としてそのまま設定したい場合もある。また、マルチユーザモードからシングルユーザモードにユーザモードが切り替えられた場合には、マルチユーザモードにおいていずれかのユーザに対して設定されていた限定条件を、シングルモードにおいてそのまま設定した場合もある。
【００１０】
【発明が解決しようとする課題】
この発明は、ユーザモードが切り替えられた場合に、それまで設定されていたユーザモードにおいて既に設定されている限定条件を、変更後のユーザモードにおいても利用することができる番組案内表示制御装置およびテレビジョン受像機を提供することを目的とする。
【００１１】
【課題を解決するための手段】
この発明による番組案内表示制御装置は、縦軸および横軸の一方をチャンネル番号軸とし、他方を時間軸として、複数の番組案内を表示装置にマトリックス状に表示する番組案内表示制御装置において、表示される番組案内に対する限定条件を１つのユーザに対してのみ設定できるシングルユーザモードと、表示される番組案内に対する限定条件を複数のユーザに対してユーザ毎に個別に設定できるマルチユーザモードとの間で、ユーザモードを切り替えるユーザモード切替え手段、ユーザモード切替え手段によって、ユーザモードがシングルユーザモードからマルチユーザモードに切り替えられたときに、操作者からの指令に基づいて、シングルユーザモード時において設定されていた限定条件を、マルチユーザモードにおける複数のユーザのうち、少なくとも１つのユーザに対する限定条件として記憶させる第１コピー手段、ならびにユーザモード切替え手段によって、ユーザモードがマルチユーザモードからシングルユーザモードに切り替えられたときに、操作者からの指令に基づいて、マルチユーザモード時において所定のユーザに対して設定されていた限定条件を、シングルモードにおけるユーザに対する限定条件として記憶させる第２コピー手段を備えていることを特徴とする。
【００１２】
表示される番組案内に対する限定条件は、たとえば、カテゴリーに関するものである。表示される番組案内に対する限定条件は、たとえば、チャンネル番号にに関するものである。
【００１３】
この発明によるテレビジョン受像機は、上記番組案内表示制御装置を備えていることを特徴とする。
【００１４】
【発明の実施の形態】
以下、図面を参照して、この発明をディジタル衛星放送システムに適用した場合の実施の形態について説明する。
【００１５】
ディジタル衛星放送システムにおいて提供される番組には、ディジタル衛星放送システムへの加入のための料金および基本料金等のシステム利用料を支払えば無料で見ることができる無料番組と、システム利用料とは別に課金される有料番組とがある。また、有料番組には、予めチャンネル単位で購入するものと、視聴した場合にのみ課金されるもの（ＰＰＶ：  ｐａｙ    ｐｅｒ  ｖｉｅｗ  ）  とがある。ＰＰＶ番組を視聴するためには、番組が開始される前にまたはその番組が放送されているときに、テレビ画面上で購入手続きを行なう必要がある。
【００１６】
〔１〕ユーザ側端末の構成の説明
【００１７】
図１は、ユーザ側端末の構成を示している。
【００１８】
ユーザ側端末としては、テレビジョン受像機と番組案内表示制御装置とが組み合わされたもの、または番組案内表示制御回路が組み込まれたテレビジョン受像機が用いられる。ユーザ側端末は、ユーザ側端末全体を制御するためのＣＰＵ６を備えている。ＣＰＵ６は、そのプログラムおよび必要なデータを記憶する記憶装置９を備えている。ＣＰＵ６には、リモートコントローラ等からなる操作部５が接続されている。ＣＰＵ６は、操作部５によって選択された番組を表示するためにチューナ２を制御するとともに番組案内画像を生成するための番組案内画像生成回路４を制御する。
【００１９】
入力端子１には、図示しないパラボラアンテナからの高周波信号が入力される。入力端子１に入力された信号はチューナ２に送られる。チューナでは、周波数変換、ＱＰＳＫ復調等の処理が行なわれ、ディジタル映像信号のストリームが生成される。チューナ２の出力は、映像処理回路３に送られる。
【００２０】
映像処理回路３では、チューナ２から出力されたストリームがＭＰＥＧデコードされ、ＣＲＴ等の表示器８に表示するためのアナログ映像信号、たとえばＮＴＳＣ信号が生成される。この映像信号がマルチプレクサ７を介して表示器８に送られることにより、表示器８上に表示される。
【００２１】
さらに、映像処理回路３は、チューナ２の出力から番組案内情報および現在時刻を表す時刻情報を抽出して、ＣＰＵ６に供給する。ＣＰＵ６に供給された番組案内情報および時刻情報は、記憶装置９に記憶される。記憶装置９には、さらに、メニュー画面を表示させるためのメニュー画面情報および各種設定画面を表示させるための設定画面情報が予め記憶されているとともに、購入されたＰＰＶ番組に関する情報、視聴されたＰＰＶ番組に関する情報等が記憶される。
【００２２】
番組案内画像生成回路４は、表示メモリ（図示略）を備えている。番組案内画像生成回路４では、記憶装置９に記憶されているメニュー画面情報、各種設定画面情報、番組案内情報等に基づいて、メニュー画像、各種設定画像および番組案内画像が表示メモリ上に作成される。そして、表示メモリ上に作成された画像が逐次読み出され、マルチプレクサ７を介して表示器８に送られることにより、表示器８上に表示される。マルチプレクサ７は、ＣＰＵ６からの制御信号に基づいて、映像処理回路３の出力および番組案内画像生成回路４の出力のうちの一方を選択して表示器８に供給する。
【００２３】
操作部５には、メニュー画面を表示させるためのメニューキー１１、カーソルを左右方向および上下方向に移動させるための４つのカーソル移動キー１２Ｌ、１２Ｒ、１２Ｕ、１２Ｄ、選択入力を行なうためのセレクトキー１３、チャンネルを上方向または下方向に変更するためのチャンネルＵＰ／ＤＯＷＮキー１４Ｕ、１４Ｄ等が設けられている。
【００２４】
〔２〕メニュー画面の説明
【００２５】
図２は、メニュー画面の一例を示している。
【００２６】
メニュー画面には、ユーザモードを設定するための選択項目”ＵＳＥＲ  ＭＯＤＥ”、マルチユーザモードが設定された場合に、複数のユーザから任意のユーザを選択するための選択項目”ＵＳＥＲ”、番組案内画面に表示される番組案内のチャンネルを限定するための選択項目”ＣＨＡＮＮＥＬ”、番組案内画面に表示される番組案内のカテゴリーを限定するための選択項目”ＣＡＴＥＧＯＲＹ”、番組案内画面に表示される番組案内を最近視聴した所定数分のチャンネルに限定するための選択項目”ＨＩＳＴＯＲＹ”、番組案内画面を表示させるための選択項目”ＧＵＩＤＥ”等が表示されている。
【００２７】
選択項目の選択は、カーソル移動キー１２Ｌ、１２Ｒ、１２Ｕ、１２Ｄによってカーソルを選択項目上に移動させた後、セレクトキー１３を押すことにより行なわれる。
【００２８】
選択項目”ＣＨＡＮＮＥＬ”、”ＣＡＴＥＧＯＲＹ”および”ＨＩＳＴＯＲＹ”は、番組案内画面の限定条件を設定する際に選択される。選択項目”ＣＨＡＮＮＥＬ”が選択されると、放送が提供されている全てのチャンネルごとに、番組案内が必要か否かの設定を行なう画面が表示され、この画面上でチャンネル設定が行なわれる。このようなチャンネル設定が行なわれている場合において、番組案内画面が表示された場合には、番組案内が必要とされたチャンネルのみに対する番組案内からなる番組案内画面が表示される。
【００２９】
選択項目”ＣＡＴＥＧＯＲＹ”が選択されると、音楽、スポーツ等のカテゴリーを選択するための画面が表示され、この画面上でカテゴリー設定が行なわれる。このようなカテゴリー設定が行なわれている場合において、番組案内画面が表示された場合には、設定されたカテゴリーに適合する番組を含むチャンネルのみに対する番組案内からなる番組案内画面が表示される。
【００３０】
選択項目”ＨＩＳＴＯＲＹ”が選択されると、ヒストリー設定が行なわれる。このようなヒストリー設定が行なわれている場合において、番組案内画面が表示された場合には、最近視聴された所定数のチャンネル、たとえば、最近視聴された１０個のチャンネルのみに対する番組案内からなる番組案内画面が表示される。
【００３１】
ユーザモードには、１つのユーザ（ＵＳＥＲ１）に対してのみ番組案内画面の限定条件を設定することができるシングルユーザモードと、４つのユーザ（ＵＳＥＲ１〜ＵＳＥＲ４）に対して番組案内画面の限定条件を設定することができるマルチユーザモードとがある。
【００３２】
マルチユーザモードが設定されている場合には、選択項目”ＵＳＥＲ”を選択することにより、ＵＳＥＲ１〜ＵＳＥＲ４のうちから１つのユーザをその設定内容を有効とすべきユーザとして選択するための画面が表示される。この画面において、所定のユーザが選択されている場合において、番組案内画面の限定条件が設定されると、その設定内容が現在選択されているユーザに対する限定条件として記憶される。
【００３３】
〔３〕ユーザモードの切替えについての説明
【００３４】
メニュー画面上において、選択項目”ＵＳＥＲ  ＭＯＤＥ”が選択されると、図３に示すようなユーザモード切替え画面が表示される。
【００３５】
ユーザモード切替え画面には、文字”ＳＩＮＧＬＥ  ＵＳＥＲ”の横に配置された、シングルユーザモードを選択するためのチェックボックス２１、文字”ＭＵＬＴＩ  ＵＳＥＲ”の横に配置された、マルチユーザモードを選択するためのチェックボックス２２、ＯＫボタン２３およびＣＡＮＣＥＬボタン２４が表示される。デフォルトでは、図３に示すように、シングルユーザモードを設定するためのチェックボックス２１にチェックマークが表示されている。
【００３６】
シングルユーザモードを選択するためのチェックボックス２１内にチェックマークが表示されている状態において、マルチユーザモードを選択するためのチェックボックス２２にカーソルを移動させた後、セレクトキー１３を押すと、図４に示すように、シングルユーザモードを設定するためのチェックボックス２１内のチェックマークが消去され、マルチユーザモードを選択するためのチェックボックス２２内にチェックマークが表示される。そして、ＯＫボタン２３が選択されると、ユーザモードがシングルユーザモードからマルチユーザモードに切り替えられる。
【００３７】
マルチユーザモードを選択するためのチェックボックス２２内にチェックマークが表示されている状態において、シングルユーザモードを選択するためのチェックボックス２１にカーソルを移動させた後、セレクトキー１３を押すと、図３に示すように、マルチユーザモードを設定するためのチェックボックス２２内のチェックマークが消去され、シングルユーザモードを選択するためのチェックボックス２１内にチェックマークが表示される。そして、ＯＫボタン２３が選択されると、ユーザモードがマルチユーザモードからシングルユーザモードに切り替えられる。
【００３８】
ユーザモードがシングルユーザモードからマルチユーザモードに切り替えられた場合には、図５に示すように、第１コピー画面が表示される。
【００３９】
この第１コピー画面には、”登録情報をいずれのユーザにコピーしますか？”という文字列、文字”ＵＳＥＲ１”の横に配置されたチェックボックス３１、文字”ＵＳＥＲ２”の横に配置されたチェックボックス３２、文字”ＵＳＥＲ３”の横に配置されたチェックボックス３３、文字”ＵＳＥＲ４”の横に配置されたチェックボックス３４、ＯＫボタン３５およびＣＡＮＣＥＬボタン３６が表示される。
【００４０】
シングルユーザモード時において設定した限定条件を、１または複数のユーザに対してコピーした場合には、カーソル移動キー１２Ｌ、１２Ｒ、１２Ｕ、１２Ｄおよびセレクトキー１３を操作して、限定条件をコピーしたいユーザの横のチェックボックス内に、チェックマークを表示させる。そして、ＯＫボタン３５を選択する。すると、シングルユーザモード時において設定した限定条件が、チェックボックスにチェックマークが表示されたユーザに対する設定内容として記憶される。つまり、コピー処理が行なわれる。そして、表示画面がメニュー画面に戻る。
【００４１】
シングルユーザモード時において設定した限定条件を、第１〜第４のユーザ（ＵＳＥＲ１〜ＵＳＥＲ４）のいずれに対する設定内容としてもコピーしたくない場合には、ユーザはＣＡＮＣＥＬボタン３６を押す。すると、コピー処理が行われることなく表示画面がメニュー画面に戻る。
【００４２】
ユーザモードがマルチユーザモードからシングルユーザモードに切り替えられた場合には、図６に示すように、第２コピー画面が表示される。
【００４３】
この第２コピー画面には、”いずれの登録情報を残しますか？”という文字列、文字”ＵＳＥＲ１”の横に配置されたチェックボックス４１、文字”ＵＳＥＲ２”の横に配置されたチェックボックス４２、文字”ＵＳＥＲ３”の横に配置されたチェックボックス４３、文字”ＵＳＥＲ４”の横に配置されたチェックボックス４４、ＯＫボタン４５およびＣＡＮＣＥＬボタン４６が表示される。
【００４４】
ユーザは、マルチユーザモード時において各ユーザ（ＵＳＥＲ１〜ＵＳＥＲ４）に対して設定された限定条件のいずれかを、シングルユーザモード時のユーザ（ＵＳＥＲ１）に対する設定内容としてコピーしたい場合には、第１〜第４ユーザ（ＵＳＥＲ１〜ＵＳＥＲ４）のうち、設定内容をシングルモード時のユーザに対する設定内容として残したいユーザの横のチェックボックス内に、チェックマークを表示させる。そして、ＯＫボタン４５を選択する。すると、チェックボックスにチェックマークが表示されたユーザに対する設定内容が、シングルモード時のユーザに対する設定内容として記憶される。つまり、コピー処理が行なわれる。そして、表示画面がメニュー画面に戻る。
【００４５】
マルチユーザモード時において各ユーザ（ＵＳＥＲ１〜ＵＳＥＲ４）に対して設定された限定条件のいずれをも、シングルユーザモード時のユーザ（ＵＳＥＲ１）に対する設定内容としてコピーしたくない場合には、ユーザはＣＡＮＣＥＬボタン４６を押す。すると、コピー処理が行われることなく表示画面がメニュー画面に戻る。
【００４６】
図７は、メニュー画面において、選択項目”ＵＳＥＲ  ＭＯＤＥ”が選択された場合の、ＣＰＵ６による処理手順を示している。
【００４７】
選択項目”ＵＳＥＲ  ＭＯＤＥ”が選択されると、図３または図４に示すユーザモード切替え画面が表示される（ステップ１０１）。
【００４８】
ユーザモード切替え画面において、ユーザモードが切り替えられなかった場合には（ステップ１０２でＮＯ）、メニュー画面に戻る。ユーザモード切替え画面において、ユーザモードが切り替えられた場合には（ステップ１０２でＹＥＳ）、シングルユーザモードからマルチユーザモードへの切替えか、マルチユーザモードからシングルユーザモードへの切替えかが判別される（ステップ１０３）。
【００４９】
ユーザモードの切替えが、シングルユーザモードからマルチユーザモードへの切替えである場合には（ステップ１０３でＹＥＳ）、図５に示す第１コピー画面が表示される（ステップ１０４）。第１コピー画面において、コピー要求が行われた場合には（ステップ１０５でＹＥＳ）、コピー処理が行われる（ステップ１０６）。そして、メニュー画面に戻る。
【００５０】
第１コピー画面において、コピー要求が行われなかった場合には（ステップ１０５でＮＯ）、コピー処理が行われることなく、メニュー画面に戻る。
【００５１】
ユーザモードの切替えが、マルチユーザモードからシングルユーザモードへの切替えである場合には（ステップ１０３でＮＯ）、図６に示す第２コピー画面が表示される（ステップ１０７）。第２コピー画面において、コピー要求が行われた場合には（ステップ１０８でＹＥＳ）、コピー処理が行われる（ステップ１０９）。そして、メニュー画面に戻る。
【００５２】
第２コピー画面において、コピー要求が行われなかった場合には（ステップ１０８でＮＯ）、コピー処理が行われることなく、メニュー画面に戻る。
【００５３】
〔４〕番組案内画面の表示処理についての説明
【００５４】
番組案内画面を表示させるための処理について説明する。
【００５５】
ユーザ側端末に送られてくる番組案内情報には、たとえば、現在時刻から２４時間先の時刻までの、全チャンネルに対する各番組の案内情報が含まれている。１番組の番組案内情報は、タイトル名、ＰＰＶ番組である場合にはその料金、カテゴリー（スポーツ、音楽、ドラマ、ニュース等）、開始および終了時刻等から構成されている。
【００５６】
ＣＰＵ６は、全チャンネルに対する各番組の案内情報を、図１１の上側に示すように、縦方向がチャンネル番号であり、横方向が時間である２次元の配列情報とみなして、チャンネル番号と時刻を示すスロット番号とを用いてアクセスできるようなインデックステーブルを生成する。スロット番号は、たとえば、３０分単位ごとに付けられた番号である。なお、図１１の上側に示された全番組案内情報に対応する２次元配列の領域Ｅを、全番組案内領域ということにする。
【００５７】
なお、現在設定されているユーザに対して、番組案内画面の限定条件が設定されている場合には、全番組案内領域Ｅは、全チャンネルのうちそれらの限定条件に適合しているチャンネルの全てに対する各番組の案内情報から構成される領域となる。この場合には、全チャンネルのうちそれらの限定条件に適合しているチャンネルの全てに対する各番組の案内情報から構成される領域に対応したインデックステーブルが生成される。
【００５８】
メニュー画面において選択項目”ＧＵＩＤＥ”が選択された場合には、直前に選択されていたチャンネル番号と現在時刻とインデックステーブルとに基づいて、ＣＰＵ６は、図８に示すような表示テーブルを生成する。図８において、最も左の１列を除く領域内の各小領域（以下、セルという）に、番組案内表示情報が格納される。したがって、この例では、５チャンネル×５セル（２時間半に相当する）分の番組案内に対応する表示テーブルが作成される。最も左側の１列の各セルには、チャンネル番号（絶対的なチャンネル番号）またはそのチャンネル番号に対応する局名のデータが格納される。
【００５９】
図８において、各セル毎にインデックスとして記載された（ｘ，ｙ）のｘは、チャンネル相対番号（表示テーブル内の各セル間での相対的なチャンネル番号であり、絶対的なチャンネル番号ではない）を示し、ｙはスロット相対番号（表示テーブル内の各セル間での相対的なスロット番号であり、絶対的なスロット番号ではない）を示している。最上段の左から２つ目のセルＳｏを基準セルということにする。
【００６０】
各セルに格納される番組案内表示情報は、タイトル名、専有セル数、レーティング、購入済か否かを表す情報、カテゴリー等からなる。専有セル数とは、当該セルから当該番組が終了するセルまでに含まれているセル数をいう。したがって、当該セルで当該番組が終了する場合には、専有セル数は１となる。このように作成された表示テーブルに基づいて、番組案内画像生成回路４は、たとえば、図９に示すような番組案内画面に対応する画像を表示メモリ上に生成する。そして、表示メモリ上に生成された画像が表示器８に送られることにより、図９に示すような番組案内画面が表示器８に表示される。マルチユーザモードが選択されている場合には、図９に示すように、現在選択されているユーザ名”ＵＳＥＲ１〜ＵＳＥＲ４”が番組案内画面に表示される。
【００６１】
図１０は、ＣＰＵ６および番組案内画像生成回路４によって実行される番組案内画面の表示処理の手順を示している。
【００６２】
メニュー画面から選択項目”ＧＵＩＤＥ”が選択されると、直前に選択されていたチャンネル番号および現在時刻が読み込まれ、全番組案内領域Ｅから基準セルＳｏが設定される（ステップ１）。つまり、基準セルＳｏに、直前に選択されていたチャンネル番号と現在時刻とに対応する番組案内情報が格納される。
【００６３】
設定された基準セルとインデックステーブルとに基づいて、図８の表示テーブルが作成される（ステップ２）。
【００６４】
この表示テーブル内の情報がＣＰＵ６から番組案内画像生成回路４に送られる。番組案内画像生成回路４では、送られてきた情報に基づいて、番組案内画像生成処理が行なわれる（ステップ３）。つまり、番組案内画像が表示メモリ上に生成される。表示メモリ上に生成された番組案内画像が逐次読み出されて表示器８に送られることにより、設定されているユーザに応じた番組案内画面が表示器８に表示される。この後、キー入力待ち状態となる。
【００６５】
セレクトキー１３によるセレクトキー入力があった場合には（ステップ４でＹＥＳ）、番組選択、番組予約等の所定の選択処理が実行される。
【００６６】
カーソル移動キー１２Ｌ、１２Ｒ、１２Ｕ、１２Ｄによるカーソルキー入力があったときには（ステップ５でＹＥＳ）、操作されたカーソル移動キー１２Ｌ、１２Ｒ、１２Ｕ、１２Ｄに応じて、ステップ６、７、８または９の処理が行なわれる。
【００６７】
つまり、操作されたキーが左移動キー１２Ｌである場合には、ステップ６に進み、全番組案内領域Ｅの左端から左方向への移動が指令されたか否かが判定される。操作されたキーが右移動キー１２Ｒである場合には、ステップ７に進み、全番組案内領域Ｅの右端から右方向への移動が指令されたか否かが判定される。操作されたキーが上移動キー１２Ｕである場合には、ステップ８に進み、全番組案内領域Ｅの上端から上方向への移動が指令されたか否かが判定される。操作されたキーが下移動キー１２Ｄである場合には、ステップ９に進み、全番組案内領域Ｅの下端から下方向への移動が指令されたか否かが判定される。
【００６８】
全番組案内領域Ｅの左端から左方向への移動が指令された場合（ステップ６でＹＥＳ）、全番組案内領域Ｅの右端から右方向への移動が指令された場合（ステップ７でＹＥＳ）、全番組案内領域Ｅの上端から上方向への移動が指令された場合（ステップ８でＹＥＳ）または全番組案内領域Ｅの下端から下方向への移動が指令された場合（ステップ９でＹＥＳ）には、すなわち、全番組案内領域Ｅの外側への移動指令である場合には、カーソルを移動させることができないので、ステップ４に戻りキー入力待ち状態となる。
【００６９】
カーソルキー入力によるカーソル移動指令が、全番組案内領域内での移動指令である場合には、カーソルの移動先の位置が算出される（ステップ１０）。カーソル移動指令が左右方向の移動指令である場合には、移動量を左右方向の１セル分（１スロット分）として、カーソルの移動先の位置が算出される。カーソル移動指令が上下方向の移動指令の場合には、移動量を上下方向の１セル分（１スロット分）として、カーソルの移動先の位置が算出される。そして、カーソル移動先の位置が、表示器８に表示されている番組案内画面内か否かが判定される（ステップ１１）。
【００７０】
カーソル移動先の位置が、表示器８に表示されている番組案内画面内である場合には、カーソルが移動先の位置に表示されるように、表示メモリ内のカーソル画像が移動せしめられる（ステップ１２）。
【００７１】
カーソル移動先の位置が、表示器８に表示されている番組案内画面の外側である場合には、番組案内画面を変更（スクロール）させるために、基準セルの変更処理が行なわれる（ステップ１３）。この基準セルの変更処理においては、全番組案内領域Ｅのうち、現在の基準セルに対してカーソル移動方向にカーソル移動量だけ離れた位置が新たな基準セルとされる。基準セルの変更処理によって新たな基準セルが設定されると、ステップ２に戻る。したがって、新たに設定された基準セルに基づいて、図８の表示テーブルが作成され、新たな番組案内画面が表示器８に表示される。つまり、番組案内画面が更新される。
【００７２】
【発明の効果】
この発明によれば、ユーザモードが切り替えられた場合に、それまで設定されていたユーザモードにおいて既に設定されている限定条件を、変更後のユーザモードにおいても利用することができる番組案内表示制御装置およびテレビジョン受像機が得られる。
【図面の簡単な説明】
【図１】ユーザ側端末の構成を示すブロック図である。
【図２】メニュー画面を示す模式図である。
【図３】ユーザモード切替え画面を示す模式図である。
【図４】ユーザモード切替え画面を示す模式図である。
【図５】シングルユーザモードからマルチユーザモードにユーザモードが切り替えられた時に表示される第１コピー画面を示す模式図である。
【図６】マルチユーザモードからシングルユーザモードにユーザモードが切り替えられた時に表示される第２コピー画面を示す模式図である。
【図７】ユーザモードの切替え処理手順を示すフローチャートである。
【図８】表示テーブルを示す模式図である。
【図９】番組案内画面を示す模式図である。
【図１０】番組案内画面の表示処理手順を示すフローチャートである。
【図１１】デジタル衛生放送システムにおいて、ユーザ側端末に表示される番組案内画面を示す模式図である。
【符号の説明】
２  チューナ
３  映像処理回路
４  番組案内画像生成回路
５  操作部
６  ＣＰＵ
７  マルチプレクサ
８  表示器
９  記憶装置
【図１】
0003568329.tif 000002
【図２】
0003568329.tif 000003
【図３】
0003568329.tif 000004
【図４】
0003568329.tif 000005
【図５】
0003568329.tif 000006
【図６】
0003568329.tif 000007
【図７】
0003568329.tif 000008
【図８】
0003568329.tif 000009
【図９】
0003568329.tif 000010
【図１０】
0003568329.tif 000011
【図１１】
0003568329.tif 000012